(57)【特許請求の範囲】
【請求項１】
加熱源と、該加熱源により加熱された空気を室内に送出する送風ファンと、室温を検出する温度センサと、目標温度を設定する室温設定器と、暖房運転開始後、時間の経過に伴って、前記目標温度を第１所定温度ずつ低下させる省燃費設定手段と、
暖房運転中、前記温度センサの検出温度と前記目標温度とが略一致するように、前記加熱源の加熱量を調節し、また、調節しても該検出温度が該目標温度よりも第２所定温度以上高くなったときに、該検出温度が前記目標温度付近に設定された所定の加熱再開温度まで下がるまで前記加熱源の作動を中断する温調制御手段とを備えた温風暖房機において、
前記省燃費設定手段による前記目標温度の低下分である前記第１所定温度を、前記第２所定温度よりも小さくなるように設定する温度設定手段を設けたことを特徴とする温風暖房機。
【発明の詳細な説明】
【０００１】
【発明の属する技術の分野】
本発明は、省燃費暖房運転機能と加熱源のオン、オフによる温調機能を備えた温風暖房機に関する。
【０００２】
【従来の技術】
従来、例えば、ガス温風暖房機においては、本体ケース内に、加熱源としてのガスバーナと、送風ファンとを備え、該送風ファンの回転動作により室内空気を吸引すると共に、ガスバーナにより加熱された空気を室内に送風することで、室温を上昇させるようにしている。
【０００３】
そして、温調機能を有するガス温風暖房機にあっては、温度設定スイッチにより使用者が設定した目標温度と、室内空気の吸引口の近傍に設けられた室温センサで検出される実際の室温とが略一致するように、ガスバーナの燃焼量と送風ファンの送風量が調節される。
【０００４】
また、ガスバーナの燃焼量を最小にしても、温度センサの検出温度が上昇し続け、温度センサの検出温度が目標温度よりも第２所定温度以上高くなったときには、ガスバーナの燃焼運転を停止し、停止後、温度センサの検出温度が目標温度付近に設定された加熱再開温度まで下がったときにガスバーナの燃焼運転を再開する、いわゆるオン、オフ制御を行うことで、室温を目標温度に略一致させるようにしたものも知られている。
【０００５】
しかし、一般に、ガスバーナの燃焼運転が一旦停止されたときには、逆火防止等のために、燃焼運転の停止後、所定時間が経過するまで、ガスバーナの燃焼運転を禁止するようにしている。また、ガスバーナの燃焼運転の再開に際しては、点火前に送風ファンのみを所定時間作動させてプリパージを行う場合もある。
【０００６】
そのため、ガスバーナの燃焼運転を一旦中断すると、燃焼運転を直ちに再開することができず、温調制御が行われない期間が生じる為、安定した温調制御を行うためには、なるべくガスバーナの燃焼運転を停止させないようにすることが望ましい。
【０００７】
一方、省燃費運転機能を備えた温風暖房機も知られている。これは、温度センサの検出温度が目標温度に到達した後、時間の経過に伴って、目標温度を若干低下させるようにしたものである。
【０００８】
具体的には、温度センサの検出温度が目標温度に到達してから３０分経過した時に目標温度を１℃下げ、その後３０分経過した時に更に１℃下げるようにしたものがある。
【０００９】
また、目標温度を一定温度ずつ下げるようにしたものの他に、暖房負荷の大きさに応じて目標温度の低下度合いを変化させるもの、例えば暖房運転開始時の検出室温と暖房運転開始後の検出室温の上昇度合いとに応じて、省燃費運転における目標温度の低下度合いを変化させるようにしたものもある。
【００１０】
このように、目標温度を若干低下させても、使用者の体感温度はさほど変わらない。そのため、温風暖房機に省燃費運転機能を持たせることで、ガスバーナの燃焼量を減らし、使用者に不快感を生じさせることなく、燃費を向上させることができる。
【００１１】
しかし、本願発明者らは、上述したガスバーナのオン、オフによる温調制御と、省燃費運転機能を併用したときに、以下の不都合が生じることを知見した。
【００１２】
即ち、温調制御により、温度センサの検出室温が目標温度付近に保たれている状態で、省燃費運転により目標温度が低下したときに、温度センサの検出温度が、低下した目標温度よりも前記第２所定温度以上高い状況となり、前記オン、オフ制御が実行されてガスバーナの燃焼運転が停止されてしまうという不都合が生じることを知見した。
【００１３】
【発明が解決しようとする課題】
本発明は、上記不都合を解消し、省燃費運転を実行したときでも、安定な温調制御を行うことのできる温風暖房機を提供することを目的とする。
【００１４】
本発明は、上記目的を達成するため、加熱源と、該加熱源により加熱された空気を室内に送出する送風ファンと、室温を検出する温度センサと、目標温度を設定する室温設定器と、暖房運転開始後、時間の経過に伴って、前記目標温度を第１所定温度ずつ低下させる省燃費設定手段と、暖房運転中、前記温度センサの検出温度と前記目標温度とが略一致するように、前記加熱源の加熱量を調節し、また、調節しても該検出温度が該目標温度よりも第２所定温度以上高くなったときに、該検出温度が前記目標温度付近に設定された所定の加熱再開温度まで下がるまで前記加熱源の作動を中断する温調制御手段とを備えた温風暖房機において、前記省燃費設定手段による前記目標温度の低下分である前記第１所定温度を、前記第２所定温度よりも小さくなるように設定する温度設定手段を設けたことを特徴とする。
【００１５】
かかる本発明によれば、前記温度設定手段は、前記省燃費設定手段による前記目標温度の低下分である前記第１所定温度を、前記温調制御手段による前記加熱源の停止条件に使用される前記第２所定温度よりも小さくなるように設定する。
【００１６】
そのため、前記温調制御手段により、前記温度センサの検出温度と、前記目標温度とが略一致するように制御された状態にあるときに、前記省燃費設定手段により前記目標温度が、前記第１所定温度低下しても、前記温度センサの検出温度が、該低下した目標温度より前記第２所定温度以上高い状況となる可能性は極めて低くなる。
【００１７】
したがって、本発明によれば、省燃費運転時に、前記温度センサの検出温度が、前記目標温度よりも前記第２所定温度以上高くなり、前記温調制御手段によって前記加熱源の作動が停止されることを抑制し、安定した温調制御を行うことができる。
【００１８】
【発明の実施の形態】
本発明の実施の形態の一例を、図１〜図４を参照して説明する。図１は本発明の温風暖房機であるガスファンヒータの構成図、図２は図１に示したガスファンヒータの制御ブロック図、図３，図４は図１に示したガスファンヒータの動作フローチャート、図５は図１に示したガスファンヒータの温調動作説明図である。
【００１９】
図１を参照して、本実施の形態のガスファンヒータは、室内に設置される本体ケース１内に、ダクト２、送風ファン３、加熱源であるガスバーナ４、ダクト５、ガス供給管６、及び制御ユニット７を備える。
【００２０】
ダクト２は、温風の送風路を構成するものであり、室内空気ｓを取り込むための吸気口８を本体ケース１の背面に開口し、本体ケース１の前面下部において温風の吹出口９を開口している。吸気口８には塵や埃等がダクト２内に流入するのを防ぐためにエアフィルタ１０が着脱自在に取り付けられている。吹出口９には、その開口度合いを調節する可動式ルーバ１１が取り付けられ、可動式ルーバ１１を駆動するためのギャドモータ１２が設けられている。また、本体ケース１から外部に突出して、サーミスタにより構成された温度センサ１３が取り付けられている。
【００２１】
送風ファン３は、通電電流量に比例して回転数が変化するファンモータ１４と、ダクト２内に吹出口９に臨んで配置され、ファンモータ１４により回転駆動される回転羽根１５とを有し、回転羽根１５の回転により吸気口８からダクト２内に室内空気ｓを吸引する。そして、吸引した室内空気ｓをダクト２内に組み込まれたガスバーナ４の燃焼排気ｈと混合し、混合空気を温風ｍとして吹出口９から室内に送出する。送風ファン３には、その回転速度を検出するホール素子等により構成された回転速度センサ１６が設けられ、回転速度センサ１６は、ファンモータ１４の回転速度に応じた信号を制御ユニット７に出力する。
【００２２】
ダクト２内に組み込まれたガスバーナ４は、燃焼胴１７内に燃焼プレート１８を配し、燃焼用空気と燃料ガスとの混合気に点火するための点火電極１９を燃焼プレート１８の近傍に配している。ガスバーナ４の燃焼胴１７はダクト２内に配置され、その燃焼排気ｈが燃焼胴１７からダクト２内に排出される。また、燃焼プレート１８の下流側には燃焼炎の有無を検知するための熱電対２０が配置される。熱電対２０は、ガスバーナ４の燃焼炎に晒されたときに、燃焼炎の温度に応じた熱起電力を発生し、該熱起電力を制御ユニット７に出力する。
【００２３】
ダクト５は、室内空気ｓ（燃焼用空気）と燃料ガスとをガスバーナ４に供給するための通路であり、ガスバーナ４の燃焼胴１７内と連通し、且つダクト２と画成して本体ケース内１に組み込まれ、本体ケース１の背面で開口した、室内空気ｓの吸気口２１を有する。ダクト５のガスバーナ４側の箇所には、ガス供給管６の先端に取り付けられたノズル２２が配置されている。
【００２４】
ダクト５には、送風ファン３の回転により吸気口２１から室内空気ｓが吸引され、吸引された室内空気ｓがガス供給管６のノズル２２から噴出される燃料ガスと混合され、その混合気がガスバーナ４に供給される。尚、吸気口２１は、ダクト２の吸気口８と共にエアフィルタ１０で覆われている。
【００２５】
ガス供給管６には、上流側から、電磁弁２４，２５，及び比例制御弁２６が設けられている。
【００２６】
電磁弁２４，２５は、通電により開弁するものであり、開弁状態では燃料ガスをノズル２２方向へ通過させ、通電を停止した閉弁状態では燃料ガスの通過を遮断する。
【００２７】
比例制御弁２６は、通電電流量に比例してその開度が増大する弁であり、ガスバーナ４への燃料ガスの供給量を調節する。
【００２８】
本体ケース１の外面部には運転スイッチ２７、温度設定スイッチ２８及びフィルタランプ２９が設けられている。
【００２９】
運転スイッチ２７は、使用者によりオン／オフ操作され、暖房運転の開始と停止を制御ユニット７に指示する。
【００３０】
室温設定器である温度設定スイッチ２８は、室温の希望温度を設定するものであり、使用者の操作により、希望温度が例えば１℃ずつ増減される。設定された希望温度は直ちに制御ユニット７に伝達される。
【００３１】
フィルタランプ２９は、エアフィルタ１０の目詰まりが進行している場合等、送風ファン３の回転作動時の風量が正常な場合に比べて、ある程度減少したときに点灯し、該点灯によりエアフィルタ１０の清掃、交換が必要であることを使用者に報知する。
【００３２】
次に、図２を参照して、制御ユニット７はマイクロコンピュータ等を用いて構成されたものであり、省燃費設定手段４０，温調制御手段４１，燃焼制御部４２，及び送風制御部４３を備える。
【００３３】
省燃費設定手段４０は、本発明の温度設定手段であるセーブ量決定部４４と、目標温度決定部４５とを有する。セーブ量決定手段４４は、詳細は後述するが、暖房運転実行時の目標温度を低下させて省燃費運転を行うために、低下させる温度幅である第１所定温度（以後、セーブ量という。）を決定する。また、目標温度決定部４５は、温度設定スイッチ２８により設定された設定温度と、前記セーブ量とから、暖房運転の目標温度を決定する。
【００３４】
温調制御手段４１は、燃焼量決定部４６，運転中断温度決定部４７，及び運転再開温度決定部４８を備える。
【００３５】
燃焼量決定部４６は、目標温度決定部４５により決定された目標温度が、温度センサ１３の検出温度と略一致するように、ガスバーナ４の目標燃焼量を決定する。これにより、通常、温度センサ１３の検出温度は目標温度±０．５℃の範囲内で安定する。しかし、目標温度が低い場合等、ガスバーナ４の燃焼量を最小にしても温度センサ１３の検出温度が上昇し続けたときには、ガスバーナ４の目標燃焼量を０としてガスバーナ４の燃焼運転を中断させ、温度センサ１３の検出温度が目標温度付近まで下がったときにガスバーナ４の燃焼運転を再開させる、所謂オン／オフ制御を行う。
【００３６】
運転中断温度決定部４７は、目標温度に第２所定温度を加算した温度を運転中断温度として決定し、運転再開温度設定部４８は、目標温度付近の温度を運転再開温度として決定する。
【００３７】
そして、燃焼量決定部４６は、温度センサ１３の検出温度が、前記運転中断温度まで上昇したときに、ガスバーナ４の目標燃焼量を０としてガスバーナ４の燃焼運転を停止し、停止後、温度センサ１３の検出温度が前記運転再開温度まで下降したときに、ガスバーナ４の燃焼運転を再開させて、前記オン／オフ制御を行う。
【００３８】
燃焼制御部４２は、温調制御手段４１に備えた燃焼量決定部４６によって決定された目標燃焼量で、ガスバーナ４が燃焼するように、ガス供給管６に設けられた電磁弁２４，２５、及び比例制御弁２６や、点火器１９を通電制御することで、ガスバーナ４の点火・消火、燃焼量の調節（燃料ガスの供給量の調節）等を行う。
【００３９】
尚、本実施形態では、燃焼制御部４２は、ガスバーナ４の燃焼量（燃料ガスの供給量）を、第１設定（最小燃焼量）〜第１２設定（最大燃焼量）の１２段階に設定する。また、熱電対２０の熱起電力の出力から、ガスバーナ４の点火／消火の確認、及び燃焼中の失火検出を行う。
【００４０】
送風制御部４３は、燃焼制御部４２により設定された、ガスバーナ４の燃焼量に応じた目標回転速度（ガスバーナ４への燃焼用空気の供給量に対応）でファンモータ１４が回転するように、ファンモータ１４への供給電流量を調節する。即ち、目標回転速度と、回転速度センサ１６により検出される実際のファンモータ１４の回転速度とが一致するように、ファンモータ１４への供給電流量を調節する。
【００４１】
尚、ファンモータ１４  の回転速度は、上述したガスバーナ４の燃焼量の第１設定〜第１２設定に対応して、第１速（最小回転速度）〜第１２速（最大回転速度）の１２段階に設定される。
【００４２】
次に、図３，図４のフローチャートを参照して、制御ユニット７による、温風暖房機の制御動作について説明する。
【００４３】
図３のＳＴＥＰ１で、使用者が運転スイッチ２７を操作すると、制御ユニット７による温風暖房機の制御動作が開始され、ＳＴＥＰ２で温度設定スイッチ２８の設定温度が目標温度決定部４５に入力され、暖房運転の目標温度として決定される。また、ＳＴＥＰ３で省燃費運転を実行中であるか否かを示すセーブフラグＦがリセット（Ｆ＝０，省燃費運転未実行を意味する）される。
【００４４】
ＳＴＥＰ４で、送風制御部４３は、ガスバーナ４を燃焼させる前に、ファンモータ１４を所定時間回転動作させる、プリパージを行う。そして、燃焼制御部４２は、ＳＴＥＰ５で電磁弁２４，２５を開弁し、ＳＴＥＰ６で比例制御弁２６の開度を最大（第７設定）とし、ＳＴＥＰ７でファンモータ１４の回転速度を最大（第７速）とした上で、ＳＴＥＰ８で点火器１９に通電して、ガスバーナ８の点火を行う。
【００４５】
燃焼制御部４２は、ＳＴＥＰ８で点火器１９に通電開始した後、ＳＴＥＰ２０で３０秒経過するまでに、ＳＴＥＰ１０でガスバーナの着火を、熱電対２０の熱起電力レベルから検出したときは、ＳＴＥＰ１１に進んで最大燃焼量での暖房運転を１分間継続する。一方、ＳＴＥＰ１０でガスバーナ４の着火を検出する前に、ＳＴＥＰ２０で３０秒タイマがタイムアップしたときには、着火失敗と判断して、ＳＴＥＰ２１に進んで暖房運転を中止する。
【００４６】
ＳＴＥＰ１２では、温調制御手段４１により、目標温度決定部４５により決定された暖房運転の目標温度と、温度センサ１３により検出された室温との差に基づいて、ガスバーナ４の目標燃焼量が決定される。そして、燃焼制御部４２は、決定された該目標燃焼量に応じて、比例制御弁２６の開度を第１設定から第１２設定の範囲で可変する。また、送風制御部４３は、該目標燃焼量に応じて、ファンモータ１４の目標回転速度を第１速から第１２速の範囲で可変し、該目標回転速度と、回転速度センサ１６により検出される実際の回転速度とが一致するように、ファンモータ１４への通電量を調節する。
【００４７】
ＳＴＥＰ１３で、温風暖房機設置後の初回運転であったときには、セーブ量決定部４４により、省燃費運転の実行時に必要となる、セーブ量が算出、決定される。尚、初回運転時のみだけでなく、運転開始毎に、毎回セーブ量を算出するようにしてもよい。本実施形態の温風暖房機では、５分間継続して暖房運転を行い、この５分間での温度センサ１３の検出温度の上昇度合いから、室内の暖房負荷を算出し、該暖房負荷に応じてセーブ量を算出している。
【００４８】
ＳＴＥＰ１５〜ＳＴＥＰ１８は、ガスバーナ４のオン／オフによる温調動作の処理ルーチンである。比例制御弁２６の開度を最小（第１設定）にしても、温度センサ１３の検出温度が上昇し続け、運転中断温度設定部４７で決定された運転中断温度を超えたときは、温調制御手段４２は、ガスバーナ４の目標燃焼量を０とする。これにより、燃焼制御部４３は、ＳＴＥＰ１６で電磁弁２４，２５を閉弁してガスバーナ４の燃焼運転を停止させる。
【００４９】
そして、温調制御手段４２は、ＳＴＥＰ１８で、温度センサ１３の検出温度が、運転再開温度決定部４８で決定された前記運転再開温度よりも低くなるのを待ってＳＴＥＰ４に進み、ガスバーナ４の燃焼運転を再開する。
【００５０】
このＳＴＥＰ１５〜ＳＴＥＰ１８の、ガスバーナ４のオン／オフ制御により、温度設定スイッチの設定温度が低い場合であっても、ガスバーナ４の継続燃焼により、室温が上昇し続けることを防止することができる。
【００５１】
一方、ＳＴＥＰ１５で、温度センサ１３の検出温度が、前記運転中断温度以下であったときには、図４のＳＴＥＰ３０に進む。ＳＴＥＰ３０〜ＳＴＥＰ３７は、省燃費設定手段４０，目標温度決定部４１，及び温調制御手段４２による省燃費運転動作を示すルーチンである。
【００５２】
本実施形態の温風暖房機は、目標温度を次第に低下させることで、省燃費運転を行うが、低下させる限度をセーブ量×６までとしている。ＳＴＥＰ３０は、この限度まで目標温度が下げられたか否かを確認するための処理であり、目標温度が、この限度まで下げられた後は、ＳＴＥＰ３０からＳＴＥＰ１２に分岐するので、目標温度の低下は終了して、以後一定となる。
【００５３】
ＳＴＥＰ３１は、既に省燃費運転が開始されたか否かを確認するための処理である。ＳＴＥＰ３１でセーブフラグＦがセット状態（Ｆ＝１、省燃費運転中）であったときは、ＳＴＥＰ４０に進み、リセット状態（Ｆ＝０、省燃費運転未実行）であったときには、ＳＴＥＰ３２に進む。
【００５４】
ＳＴＥＰ３２で、温度センサ１３の検出温度が目標温度を超え、その後ＳＴＥＰ３３で３０分が経過したときは、ＳＴＥＰ３４で省燃費設定手段４０に備えられた目標温度決定部４５により、それまでの目標温度からセーブ温度（例えば０．３℃）を減算した温度が新たな目標温度とされる。そして、ＳＴＥＰ３５で、省燃費設定手段４０は、その内部に備えた１０分タイマをスタートし、ＳＴＥＰ３６でセーブフラグＦをセット（Ｆ＝１）して省燃費運転を開始する。
【００５５】
目標温度決定部４５は、ＳＴＥＰ３７で１０分タイマがタイムアップする毎に、ＳＴＥＰ３８で、それまでの目標温度からセーブ量を減算した温度を、新たな目標温度として、温調制御手段４１に指示する。
【００５６】
即ち、１０分が経過する毎に、温調制御手段４１の目標温度がセーブ量ずつ低下し、これにより、温調制御手段４１の燃焼量決定部４６で決定される目標燃焼量が低下するので、ガスバーナ４への燃料ガスの供給量が減少して燃費が向上する。尚、上述したように、セーブ量は、ＳＴＥＰ１４で、室内の暖房負荷に応じて算出されるので、このように徐々に目標温度を低下させても、使用者に不快感を与えることはない。
【００５７】
また、省燃費運転の開始後、ＳＴＥＰ４０で、温度センサ１３の検出温度が、温度設定スイッチ２８の設定温度よりも５℃以上低くなったときには、省燃費設定手段４０は、室内環境の変化（例えば使用者が窓を開けた）が生じたものと判断して、ＳＴＥＰ４１でセーブフラグＦをリセット（Ｆ＝０）して省燃費運転を中止し、ＳＴＥＰ４２で、目標温度を温度設定スイッチ２８の設定温度に戻す。
【００５８】
次に、図５は、省燃費設定手段４０により、目標温度が１０分毎に下げられたときの、温度センサ１３の検出温度の変化を示したグラフである。図中、Ｔａ０は温度設定スイッチ２８の設定温度、ＴＣ０は運転中断温度決定部４７により、暖房運転開始時の目標温度Ｔａ０に第２所定温度Ｔ２  を加算して決定された運転中断温度、ＴＳ０は温度センサ１３の検出温度である。
【００５９】
また、Ｔａ  は目標温度決定部４５により決定された目標温度の変化グラフ、Ｔｃ  は運転中断温度決定部４７により決定された運転中断温度の変化グラフ、Ｔｓ  は温度センサ１３の検出温度の変化グラフである。
【００６０】
暖房運転が開始され、５分が経過したときに、セーブ量決定部４４によりセーブ量Ｔ１  が決定される。その後、温度センサ１３の検出温度ＴＳ  は徐々に上昇し、温調制御手段４１の制御動作により、目標温度であるＴａ０付近に保たれる。そして、温度センサ１３の検出温度が目標温度Ｔａ０に到達後（図５では暖房開始から１０分経過時）、３０分が経過した以後は、１０分が経過する毎に目標温度Ｔａ  が、目標温度決定部４５によりセーブ量Ｔ１  ずつ低下される。
【００６１】
ここで、セーブ量決定部４４は、セーブ量Ｔ１  を、第２所定温度Ｔ２  よりも小さくなるように設定する。そして、温調制御手段４１の温調制御動作により、温度センサ１３の検出温度ＴＳ  は、目標温度Ｔａ  の低下に応じて、目標温度Ｔａ  とほぼ一致した状態に保たれる。そのため、目標温度がセーブ量Ｔ１  ずつ低下しても、温度センサ１３の検出温度ＴＳ  が運転中断温度Ｔｃ  を超える可能性は極めて低くなる。
【００６２】
従って、目標温度Ｔａ  をセーブ量Ｔ１  だけ低下させたときに、温度センサ１３の検出温度Ｔｓ  が運転中断温度Ｔｃ  を超え、図３のＳＴＥＰ１５〜ＳＴＥＰ１７の処理により、ガスバーナ４の燃焼運転が停止されることを防止することができる。
【００６３】
ここで、ガスバーナ４の燃焼運転が一旦停止されると、その後すぐには燃焼を再開することはできず、点火前にＳＴＥＰ４でプリパージを行う必要がある。そして、このプリパージ実行中は、温調制御が不能な状態となるため、安定した温調制御を行うことができない。
【００６４】
そのため、このように、セーブ温度Ｔ１  を第２所定温度Ｔ２  よりも小さい値に設定し、ガスバーナ４の燃焼運転が停止されることを極力避けるようにすることで、安定した温調制御を行うことができる。
【００６５】
尚、本実施形態では、暖房運転開始５分後にセーブ量を決定し、その後、温度センサ１３の検出温度が目標温度に到達したときに、省燃費運転を開始し、１０分経過毎に、目標温度をセーブ量ずつ低下させるようにしたが、これらの条件は特にこの時間に限られるものではない。
【００６６】
また、上記実施の形態では、温度センサ１３の検出温度が運転中断温度以下のときのみ省燃費運転による目標温度の低下を許可するものを示したが（図３，ＳＴＥＰ１５）、セーブフラグＦがセット状態（Ｆ＝１，省燃費運転中）であれば、温度センサ１３の検出温度が運転中断温度以下であっても、目標温度の低下を許可するようにしてもよい。
【図面の簡単な説明】
【図１】本発明の一実施形態の全体構成図。
【図２】図１に示した温風暖房機の制御ブロック図。
【図３】図１に示した温風暖房機の動作フローチャート。
【図４】図１に示した温風暖房機の動作フローチャート。
【図５】図１に示した温風暖房機の温調制御動作を示すグラフ。
【符号の説明】
１…本体ケース、２…ダクト、３…送風ファン、４…ガスバーナ、５…ダクト、６…ガス供給管、７…制御ユニット、８…吸気口、９…吹出口、１０…エアフィルタ、１１…可動式ルーパ、１２…ギャドモータ、１３…温度センサ、１４…ファンモータ、１５…回転羽根、１６…回転速度センサ、１７…燃焼胴、１８…燃焼プレート、１９…点火器、２０…熱電対、２１…吸気口、２２…ノズル、２４，２５…電磁弁、２６…比例制御弁、２７…運転スイッチ、２８…温度設定スイッチ、２９…フィルタランプ、４０…省燃費設定手段、４１…温調制御手段、４２…燃焼制御部、４３…送風制御部、４４…セーブ量決定部、４５…目標温度決定部、４６…燃焼量決定部、４７…運転中断温度決定部、４８…運転再開温度決定部
【図１】
0003582628.tif 000002
【図２】
0003582628.tif 000003
【図３】
0003582628.tif 000004
【図４】
0003582628.tif 000005
【図５】
0003582628.tif 000006